(57)【特許請求の範囲】
【請求項１】
内周に円筒コイルが固着され、両端に軸受及び整流子が配置された円筒外転形回転子と、該回転子の内方に界磁磁石とブラシを備えたブラシ台が固着されたシャフトからなる固定子とから構成され、該回転子の軸受は該固定子のシャフトと回転自在に装着されているアウターロータ型モータ構造において、
前記外転形回転子は磁性体の円筒ヨークからなり、その外周部には円弧状分銅が固着され、また前記シャフトの両端にはモータ本体取付用の取付台が配置され、同時に前記シャフトの両端縁に弾性材キャップを介して前記取付台が支持され、また前記外転形回転子を軸支する一方の軸受が、整流子付の樹脂一体成形軸受であることを特徴とする小型モータ。
【請求項２】
前記外転形回転子の円筒ヨークが、磁性体線材を螺旋状に巻回して形成されたことを特徴とする請求項１に記載の小型モータ。
【発明の詳細な説明】
【０００１】
【産業上の利用分野】
本発明は、コアレスモータに関するものである。さらに詳しくは、この発明は、振動アラーム装置等に使用される、携帯性にすぐれた耐衝撃性のある小型，軽量かつ製造容易で、低コストで量産性に優れた小型モータまたはジャイロモータに関するものである。
【０００２】
【従来の技術とその課題】
近年、音による呼出し方式に代えて振動方式によるポケットベル装置が注目されてきており、このための振動を生起させるモータ装置についての改良が進められてきている。
このモータ装置としては、例えば図３に示した中空円筒型コアレスモータ装置が知られている。この装置では、円筒コイル１、円筒コイルの支持体２、この支持体に形成された整流子３、支持体の中心を貫通して支持体に固定された回転軸４からなる回転子を有し、この回転子の回転軸４は、中空円筒状の界磁磁石５内に挿通され、円筒状ハウジングケース６内の一端側に配置された軸受７と、ハウジングケース６の他端側に配置された軸受８とで支承されている。
【０００３】
通常、この構造のコアレスモータ装置においては、回転軸４の先端部には、重心を偏らせた偏心分銅１０が装置され、整流子３には、固定子側のブラシ９が接するように構成され、ハウジングケース６がページャ等のケース内のホルダーに固定され、偏心分銅１０を回転させることによりこの振動をハウジングケース６を介してページャ本体に伝達して振動ページャとしての機能が発揮されている。
【０００４】
しかしながら、携帯用としてはより小型の装置が求められている状況にあって、このような中空円筒型コアレスモータ装置の構造では、分銅の径が小さくなると振動力が得られず、必要な振動量を得るためには長さの長い重い分銅を用いなければならず、実際的に、モータ装置の小型化，軽量化を図ることには限界があった。
【０００５】
また、図３に示すように従来の振動モータにおいては、ハウジングケース６をページャや携帯電話等の本体に固定し、回転軸４の一端に固定された偏心分銅１０を片側支持で振り回すため、回転軸に負担がかかり曲がりの原因となり、衝撃にも弱く、極細径にもできないという問題があった。
さらにジャイロモータ等に使用する場合にも落下衝撃に強く小型軽量なものが望まれていたが、現状の軸が回転する方式では限界があった。
【０００６】
この発明は、以上の通りの事情に鑑みてなされたものであって、従来装置の欠点を改善し、耐衝撃性にすぐれた製造容易で、小型，高性能な新しい円筒コアレス小型モータを提供することを目的としている。
【０００７】
【課題を解決するための手段】
本発明は前記従来技術の課題を解決する為になされたもので、実施例に対応する図１、図２で説明すると、本発明の小型モータは、内周に円筒コイル11が固着され、一端に整流子13付軸受17が固着され、他端に軸受18が固着された円筒ヨーク16からなる回転子と、前記回転子の内方に中空円筒状界磁磁石15とブラシ19を備えたブラシ台12が固着されたシャフト14からなる固定子とから構成され、該回転子の軸受17，18は該固定子のシャフト14と回転自在に装着して構成したものである。
【０００８】
また、本発明の小型モータにおいては、前記円筒ヨーク16の外周部に円弧状分銅20が固着され、前記シャフト14の両端に本体取付用の取付台22が固着されて構成したものである。
【０００９】
また、本発明の小型モータにおいては、前記シャフト14の両端にゴムや樹脂等の弾性材のキャップ21を介して取付台22に固着したものである。
【００１０】
また、本発明の小型モータにおいては、前記円筒ヨーク16が例えば磁性体の線材を螺旋状に巻回して形成したものであってもよい。
【００１１】
また、本発明の小型モータにおいては、前記整流子13付軸受17を一体樹脂で形成したものである。
【００１２】
【作用】
本発明の小型モータにおいては、上記のとおり、ハウジングケースを兼ねた円筒ヨーク16の内周に円筒コイル11が固着されているので、従来のように円筒コイルの外周とケースの内周とのギャップを管理する必要が無く、円筒コイル11の隙間は従来と比べてと円筒状界磁磁石15との間隙の片側だけなので、円筒ヨーク16と円筒状界磁磁石15とのギャップを狭くすることができるのでトルクアップができる。また、ハウジングが回転するため、これをフライホイールとして使用でき、全重量の軽いジャイロが提供できる。
【００１３】
本発明の小型モータにおいては、上記のとおり、ハウジングケースを兼ねた円筒ヨーク16の外周部に円弧状の偏心分銅20が固着されているので、小型の振動モータとして使用すると、まず分銅が最外周にあるので、振り回すモーメント力が効率的で大きく、円筒ヨーク16の外周のスラスト長さ分使用できるので、極小径で長さ方向も短い小型軽量でありながら振動力の大きい振動用小型モータを提供できる。また、シャフト14の両端で支持する構造がとれるので、耐衝撃性が向上する。
【００１４】
本発明の小型モータにおいては、上記のとおり、請求項２記載の振動発生用小型モータにおいて、前記シャフト14の両端にゴムや樹脂等の弾性材のキャップ21を介して取付台22に固着したので、耐衝撃性が向上し、騒音防止効果がある。
【００１５】
また、本発明の小型モータにおいては、円筒ヨーク16を磁性体の線材を螺旋状に巻回して形成したてもよいので、低コストで量産性が良いヨークの積層化が図れ、渦電流の防止により、トルクが向上する。
【００１６】
また、本発明の小型モータにおいては、上記のとおり整流子13付軸受17を一体樹脂で形成したので、モータの低コスト化と量産化が図れる。
【００１７】
【実施例】
以下、本発明の実施例について、図面を参照して説明する。図１は本発明の実施例を示す振動用小型モータの構成を示す断面図である。図２は本発明の実施例を示す振動用小型モータの円弧状偏心分銅の形状を説明する図である。
【００１８】
本発明の実施例による振動用小型モータは、図１，図２に示すように、従来の円筒コアレスモータとは発想を逆転させ、シャフトを固定し、ケース側を回転させようとするものである。よって、回転子側には内周に円筒コイル１１が固着され、一端に一体樹脂で形成された整流子１３付軸受１７が固着され、他端に軸受１８が固着された円筒ヨーク１６がケースを兼ねてシャフト１４に軸受１７，１８を介して回転自在に構成されている。この円筒ヨーク１６は磁性体の線材を螺旋状に巻回して形成されており、低コストで量産性の良いヨークの積層化が図れ、渦電流の防止により、トルクが向上する。
【００１９】
また、固定子側には中空円筒状界磁磁石１５とブラシ１９を備えたブラシ台１２が固着された前記回転子の軸受１７，１８と回転自在に軸支されたシャフト１４がこの両端にゴムや樹脂等の弾性材のキャップ２１を介して取付台２２に固着されている。
【００２０】
さらに、振動用モータとして使用するため、円筒ヨーク１６の外周部に円弧状分銅２０が固着され、小型の振動モータとして使用すると、まず分銅が最外周にあるので、振り回すモーメント力が効率的で大きく、円筒ヨーク１６の外周のスラスト長さ分使用できるので、極小径で長さ方向も短い小型軽量でありながら振動力の大きい振動用小型モータを提供できる。また、シャフト１４の両端で支持する構造がとれるので、耐衝撃性が向上する。さらにシャフト１４の両端にゴムや樹脂等の弾性材のキャップ２１を介して取付台２２に固着したので、耐衝撃性が向上し、騒音防止効果がある。
【００２１】
また、ハウジングケースを兼ねた円筒ヨーク１６の内周に円筒コイル１１が固着されているので、従来のように円筒コイルの外周とケースの内周とのギャップを管理する必要が無く、円筒コイル１１の隙間は従来と比べてと円筒状界磁磁石１５との間隙の片側だけなので、円筒ヨーク１６と円筒状界磁磁石１５とのギャップを狭くすることができるのでトルクアップができる。また、ハウジングが回転するため、これをフライホイールとして使用でき、全重量の軽いジャイロが提供できる。
【００２２】
【発明の効果】
以上詳しく説明した通り、この本発明によって、耐衝撃性にすぐれた製造容易で、小型，軽量，高性能な新しい円筒コアレス小型モータを提供することができる。
【図面の簡単な説明】
【図１】本発明の実施例を示す小型モータの構成を示す断面図。
【図２】本発明の実施例を示す小型モータの構成を説明する図。
【図３】従来の円筒コアレス振動モータの構成を示す断面図。
【符号の説明】
１，１１  円筒コイル
２  コイル支持体
３，１３    整流子
４  回転軸
５，１５  界磁磁石
６  ハウジングケース
７，８，１７，１８  軸受
９，１９  ブラシ
１０，２０  分銅
１２  ブラシ台
１４  シャフト
１６  円筒ヨーク
２１  弾性材のキャップ
２２  取付台
【図１】
0003631871.tif 000002
【図２】
0003631871.tif 000003
【図３】
0003631871.tif 000004